(57)【特許請求の範囲】
【請求項１】
階段の側面に立設された化粧階段手摺において、
階段の側面に立設された複数の柱で構成する柱部と、裏面においてその長さ方向に連続した溝部が形成された手摺とを具備し、上記柱の上端に上記手摺の溝部を嵌合させて配置した柱納まり部分と、
階段の側面に立設されて上記柱部と並設された腰壁と、上部においてその長さ方向に連続し上記手摺の溝部と嵌合可能な凸部が形成された凸型部材とを具備し、上記凸型部材を上記腰壁の上端部に接合し上記柱納まり部分から手摺を延設させその溝部を該凸型部材の凸部に嵌合させて上記柱納まり部分から連続して手摺を配置した腰壁納まり部分とを具備することを特徴とする化粧階段手摺。
【請求項２】
請求項１に記載の化粧階段手摺において、
上記凸型部材は、断面が台形形状をなし、その上部に上記凸部を形成したことを特徴とする化粧階段手摺。
【請求項３】
請求項１または２に記載の化粧階段手摺において、
上記手摺は、その溝部がＶ溝であり、
上記凸型部材は、その凸部が上記Ｖ溝に沿って山型に形成されていることを特徴とする化粧階段手摺。
【発明の詳細な説明】
【０００１】
【発明の属する技術分野】
本発明は、階段の側面に立設された化粧階段手摺の技術分野に属し、特に複数の柱と腰壁とを連続させた化粧階段手摺に関するものである。
【０００２】
【従来の技術】
従来、階段の側面に配設される手摺としては、図１０に示すように、複数の柱（親柱１２、子柱１３）の上端に手摺１１を取り付けた化粧階段手摺納まりのものや、図１２に示すように、腰壁２１上に手摺となる笠木１５を取り付けた笠木納まりのものとがある。
【０００３】
上記化粧階段手摺納まりの手摺は、図１１に示すように、手摺１１の裏面に連続した凹溝１１ａが形成されており、その凹溝１１ａを柱（親柱１２、子柱１３）の上端に嵌合させると共に柱に斜めから釘打ちして取り付けられる。一方、上記笠木納まりの笠木１５は、図１３に示すように、内側と外側に腰壁パネル２３を貼り合わせた壁部２２の上端部に笠木１５の裏面１５ａを配置させて壁部２２に斜めから釘ｋを打ち付けて取り付けられる。
【０００４】
【発明が解決しようとする課題】
しかしながら、上記手摺１１は裏面に凹溝１１ａが形成されており、一方、笠木１５の裏面は平坦面１５ａとされており、両者の裏面構造が異なるので、手摺１１と笠木１５とを連続させることはできない。そのため、化粧階段手摺納まりと笠木納まりとはそれぞれ別々のものとして設計されていたため、階段の手摺の仕様として上記化粧階段手摺納まりのみによるか、笠木納まりのみによるかしか選択できないという問題がある。
本発明は、上記問題点に鑑みてなされたものであり、複数の柱と腰壁とを連続させて化粧階段手摺納まりと笠木納まりを一体化した仕様の化粧階段手摺を実現することを課題とする。
【０００５】
【課題を解決するための手段】
本発明の請求項１に係る化粧階段手摺は、階段の側面に立設された化粧階段手摺において、階段の側面に立設された複数の柱で構成する柱部と、裏面においてその長さ方向に連続した溝部が形成された手摺とを具備し、上記柱の上端に上記手摺の溝部を嵌合させて配置した柱納まり部分と、階段の側面に立設されて上記柱部と並設された腰壁と、上部においてその長さ方向に連続し上記手摺の溝部と嵌合可能な凸部が形成された凸型部材とを具備し、上記凸型部材を上記腰壁の上端部に接合し上記柱納まり部分から手摺を延設させその溝部を該凸型部材の凸部に嵌合させて上記柱納まり部分から連続して手摺を配置した腰壁納まり部分とを具備することを特徴とする。
これによれば、上記腰壁納まり部分では腰壁の上端部に凸型部材を接合することによって、裏面に溝部が形成された手摺を柱納まり部分から腰壁上に連続して配置することができる。
【０００６】
また、本発明の請求項２に係る化粧階段手摺は、請求項１に記載の化粧階段手摺において、上記凸型部材は、断面が台形形状をなし、その上部に上記凸部を形成したことを特徴とする。
これによれば、凸型部材の断面形状を台形形状とすることによって、上記凸部を腰壁の内側寄りあるいは外側寄りに自由に配置することができる。
【０００７】
さらに、本発明の請求項３に係る化粧階段手摺は、請求項１または２に記載の化粧階段手摺において、上記手摺は、その溝部がＶ溝であり、上記凸型部材は、その凸部が上記Ｖ溝に沿って山型に形成されていることを特徴とする。
これによれば、上記手摺の溝部がＶ溝である場合でも、上記凸型部材の凸部を上記Ｖ溝に沿って山型に形成することによって、上記手摺のＶ溝を該山型の凸部に嵌合することができる。
【０００８】
【発明の実施の形態】
以下に、本発明の実施の形態を図面を参照しながら説明する。
図１は、本発明の実施の形態による化粧階段手摺を示す立面図である。図２は図１中の柱と手摺との取り付け状態を示した断面図であり、同図（ａ）は図１中のＩＩａ−ＩＩａ線の断面図であって子柱と手摺との取り付け状態を示し、同図（ｂ）は図１中のＩＩｂ−ＩＩｂ線の断面図であって親柱と手摺との取り付け状態を示す。また、図３は図１中のＩＩＩ−ＩＩＩ線の断面図であって腰壁と手摺との取り付け状態を示す。
【０００９】
本実施の形態による化粧階段手摺は、図１に示すように、柱納まり部分１０と、腰壁納まり部分２０とを具備するものである。
【００１０】
上記柱納まり部分１０は、階段の踏板１４の端部周辺から立設された親柱１２と子柱１３とで構成する柱部と、この柱部の上端に取り付けた手摺１１とから構成されている。この柱納まり部分１０において階段の下部と上部に上記親柱１２がそれぞれ１本ずつ設置され、その他の部分に子柱１３が適宜に設置されている。また、上記手摺１１は、図２に示すように、細長い矩形状をした板材から形成され、表面はその長さ方向に沿った中央がやや盛り上がるように加工され、また、裏面は上記親柱１２や子柱１３の上端に取り付けられるようにその長さ方向に沿って連続した凹溝１１ａ（溝部）が形成されている。すなわち、子柱１３の上端が上記手摺１１の凹溝１１ａに嵌合され（図２（ａ）参照）、また、親柱１２の上端面に接合したフィレット部材３３が上記手摺１１の凹溝１１ａに嵌合される（図２（ｂ）参照）。
【００１１】
一方、上記腰壁納まり部分２０は、図１に示すように、階段の上部の踊り場において内壁ｗに対して垂直に腰壁２１が上記柱部と並設されている。この腰壁２１は、図３に示すように、踊り場の床板１４ａに立設されており、壁部２２の内側面と外側面にそれぞれ石こうボード等からなる腰壁パネル２３が張り合わされたものである。また、この壁部２２の上端面には、全体が細長い板材から形成され、上部にその長さ方向に連続した凸部２４ａが形成された断面凸型状の凸型部材２４が接合されている。そして、上記柱納まり部分１０から手摺１１を延設させ、その溝部１１ａをこの凸型部材２４の凸部２４ａに嵌合させることにより、この腰壁納まり部分２０において上記柱納まり部分１０から連続的に手摺１１を配置させている。
【００１２】
次に、上記柱納まり部分１０と上記腰壁納まり部分２０とにおける手摺１１の取り付け方法を図４から図６に基づいて簡単に説明する。
図４は、柱納まり部分１０において手摺１１を傾斜させて配置する取り付け方を説明する側面図である。図５は、柱納まり部分１０において階段の下部の親柱１２に手摺１１を配置する取り付け方を説明する斜視図である。図６は、腰壁納まり部分２０の壁部２２と柱納まり部分１０の子柱１３とに手摺１１を連続的に配置する取り付け方を説明する斜視図である。
【００１３】
まず、柱納まり部分１０の傾斜した部位に手摺１１を取り付ける場合は、図４に示すように、各子柱１３の上端部を階段の傾斜角度にあわせてカットしておき、この上端部に上記手摺１１を配置し凹溝１１ａを嵌合させる。このとき子柱１３の斜めにカットした上端面には接着剤をあらかじめ塗布しておき、手摺１１を子柱１３に接着させると共に斜めから釘ｋを打ち付けて固定させる。また、この手摺１１の裏面の各子柱１３間には、その前後の端部を斜めにカットしたフィレット部材３２を配置し、手摺１１の凹溝１１ａに接着剤で接着させると共に釘ｋを打ち付けて固定する。この前後の端部を斜めにカットしたフィレット部材３２を用いることにより、子柱１３間における手摺１１の凹溝１１ａに該フィレット部材３２を隙間なく配置することができる。従って、この柱納まり部分１０の傾斜した部位において上記手摺１１を下方から眺めても上記フィレット部材３２によって凹溝１１ａが隠れるので、手摺１１の外観を損ねることはない。
【００１４】
また、階段下部の親柱１２に手摺１１を取り付ける場合は、図５に示すように、あらかじめ親柱１２の上端面に矩形状のフィレット部材３３を接合させておく。この接合は、図示しないが接着剤で接着させると共にその上からビス止めすることにより行う。このフィレット部材３３は、上記手摺１１の凹溝１１ａに嵌合可能な大きさに形成されている。そして、手摺１１を親柱１２の上端面に配置しその凹溝１１ａを上記フィレット部材３３に嵌合させる。このときフィレット部材３３の上面には接着剤をあらかじめ塗布しておき、手摺１１を親柱１２に接着させて固定する。なお、図示しないが、階段上部の親柱１２においても上記と同様にして手摺１１を親柱１２上に取り付ける。
このようにして、親柱１２と子柱１３とで構成された柱部に手摺１１を取り付けた柱納まり部分１０が施工される。
【００１５】
次に、腰壁納まり部分１０では、図６に示すように、あらかじめ壁部２２の上端面に上記凸型部材２４を接着剤で接着させると共に壁部２２の側面に釘ｋを斜め上に打ち付けて固定する。そして、手摺１１をこの壁部２２と子柱１３とを架け渡すようにしてその裏面側を上記凸型部材２４上に配置し、凹溝１１ａを上記凸型部材２４の凸部２４ａと子柱１３の上端部とに嵌合させる。このとき凸部２４ａと子柱１３の上端面に接着剤をあらかじめ塗布しておき、手摺１１を凸型部材２４上と子柱１３とに接着させ、さらに子柱１３にはその側面から釘ｋを斜め上に向けて打ち付けて固定させる。また、上記壁部２２と上記子柱１３との間には、平板状に加工したフィレット部材３１を配置し、手摺１１の凹溝１１ａに接着剤で接着させると共にその裏面から釘ｋを打ち付けて固定させる。これにより、この手摺１１を下方から眺めても上記フィレット部材３１によって凹溝１１ａが隠れるので、手摺１１の外観を損ねることはない。
【００１６】
このように、上記凸型部材２４を用いることによって上記柱納まり部分１０から連続して手摺１１を上記腰壁納まり部分２０に延設させることができ、これによって、上記柱納まり部分１０と上記腰壁納まり部分２０とを一体化させた化粧階段手摺を実現することができる。さらには、階段の手摺の仕様として柱部と腰壁とを好みに応じて任意に組み合わせたものを設計することができるので、設計の自由度を広げることができる。
【００１７】
なお、本発明は、上記実施の形態のものに限定されず、上記壁部２２の上部に取り付ける凸型部材２４として、例えば図７（ａ）に示すように、断面が台形形状をなし、その上部に凸部２５ａを形成した台形形状の凸型部材２５を使用しても良い。これによると、親柱１２や子柱１３からなる柱部の厚みに比べ腰壁２１が厚い場合に、例えば、図７（ａ）のように断面台形形状の凸型部材２５の凸部２５ａを腰壁２１の内側寄りに配置させて、且つ、図７（ｂ）に示すように踏板１４上の柱部１３を踏板１４の端部から内側寄りに配設することによって柱納まり部分１０から腰壁２１に連続して上記手摺１１を形成することができる。また、踏板上での柱部の納まり上親柱や子柱を踏板の外側寄りに配設する必要がある場合は、図示しないが上記凸部２５ａとは逆に外側寄りに形成した断面台形形状の凸型部材を使用することによって柱納まり部分１０から腰壁２１に連続して手摺１１を形成することができる。
【００１８】
また、上記実施の形態では、手摺１１の溝部が矩形状の凹溝１１ａに形成されていたが、図８に示すようなＶ溝１６ａである手摺１６の場合は、上記凸型部材２６として凸部が山型２６ａに形成されたものを使用すれば良い。これにより、上記手摺１６のＶ溝１６ａを凸型部材２６の山型凸部２６ａに嵌合させることができるので、このようなＶ溝１６ａを形成した手摺１６であっても柱納まり部分１０から腰壁２１に連続して手摺１６を形成することができる。
【００１９】
さらに、図９に示すように、本化粧階段手摺として、例えば、柱納まり部分１０と腰壁納まり部分２０とを任意に交互に複数設置した仕様の設計とするものでも良い。
【００２０】
【発明の効果】
以上のように、本発明の請求項１に係る化粧階段手摺によれば、腰壁納まり部分では腰壁の上端部に凸型部材を接合することによって、裏面に溝部が形成された手摺を柱納まり部分から腰壁上に連続して配置することができる。従って、柱納まり部分と腰壁納まり部分とに連続して上記手摺を配置させることによって上記柱納まり部分と上記腰壁納まり部分とを一体化させた化粧階段手摺を実現することができ、さらには、階段の手摺の仕様として柱部と腰壁とを好みに応じて任意に組み合わせたものを設計することができるので、設計の自由度を広げることができる。
【００２１】
また、本発明の請求項２に係る化粧階段手摺によれば、凸型部材の断面形状を台形形状とすることによって、上記凸部を腰壁の内側寄りあるいは外側寄りに自由に配置することができる。従って、上記腰壁が厚かったり、上記柱部がその納まり上踏板の端部で内側寄りあるいは外側寄りに配設されていても、上記手摺を柱部から腰壁に連続して形成することができる。
【００２２】
さらに、本発明の請求項３に係る化粧階段手摺によれば、上記手摺の溝部がＶ溝である場合でも、上記凸型部材の凸部を上記Ｖ溝に沿って山型に形成することによって、上記手摺のＶ溝を該山型の凸部に嵌合することができる。従って、Ｖ溝を形成した手摺であっても腰壁に連続して形成することができる。
【図面の簡単な説明】
【図１】実施の形態による化粧階段手摺を示す立面図である。
【図２】図１中の柱と手摺との取り付け状態を示した断面図であり、同図（ａ）は図１中のＩＩａ−ＩＩａ線の断面図であり、同図（ｂ）は図１中のＩＩｂ−ＩＩｂ線の断面図である。
【図３】図１中のＩＩＩ−ＩＩＩ線の断面図である。
【図４】柱納まり部分１０において手摺１１を傾斜させて配置する取り付け方を説明する側面図である。
【図５】柱納まり部分１０において階段の下部の親柱１２に手摺１１を配置する取り付け方を説明する斜視図である。
【図６】腰壁納まり部分２０において腰部２２に手摺１１を配置する取り付け方を説明する斜視図である。
【図７】凸型部材の他の例を示す断面図である。
【図８】凸型部材の他の例を示す断面図である。
【図９】柱納まり部分１０と腰壁納まり部分２０とを交互に設置した仕様の化粧階段手摺を示す平面図である。
【図１０】従来の化粧階段手摺納まりによる手摺を示す平面図である。
【図１１】図１０の従来の化粧階段手摺納まりによる手摺の柱との取り付け状態を示す斜視図である。
【図１２】従来の笠木納まりによる手摺を示す平面図である。
【図１３】図１２の従来の笠木納まりによる笠木と腰壁との取り付け状態を示す斜視図である。
【符号の説明】
１０  柱納まり部分
１１，１６  手摺
１１ａ，１６ａ  凹溝（溝部）
１２  親柱
１３  子柱
１４  踏板
１４ａ  踊り場の床板
２０  腰壁納まり部分
２１  腰壁
２２  壁部
２３  腰壁パネル
２４，２５，２６  凸型部材
２４ａ，２５ａ，２６ａ  凸部
３１，３２，３３  フィレット部材
【図１】
0003786395.tif 000002
【図２】
0003786395.tif 000003
【図３】
0003786395.tif 000004
【図４】
0003786395.tif 000005
【図５】
0003786395.tif 000006
【図６】
0003786395.tif 000007
【図７】
0003786395.tif 000008
【図８】
0003786395.tif 000009
【図９】
0003786395.tif 000010
【図１０】
0003786395.tif 000011
【図１１】
0003786395.tif 000012
【図１２】
0003786395.tif 000013
【図１３】
0003786395.tif 000014